(57)【要約】【課題】  蛇腹部に付着した塵埃を容易に知ることができる掃除機用アタッチメント及びそれを用いた電気掃除機を提供することを目的とする。【解決手段】  吸込口２ａを有する吸込口部２と、電気掃除機本体の集塵室に連通する接続口に接続される接続部３と、この接続部３に吸込口部２を屈曲自在に連結する蛇腹部４とを有し、この蛇腹部４を透明性を有する材料で構成した。さらに、蛇腹部４に帯電防止材を含有した材料を使用するようにした。【選択図】        図１
2007061128.tif 000002
【特許請求の範囲】
【請求項１】
吸込口を有する吸込口部と、電気掃除機本体の集塵室に連通する接続口に接続される接続部と、この接続部に前記吸込口部を屈曲自在に連結する蛇腹部とを有し、この蛇腹部を透明性を有する材料で構成したことを特徴とする掃除機用アタッチメント。
【請求項２】
前記蛇腹部に帯電防止材を含有した材料を使用したことを特徴とする請求項１記載の掃除機用アタッチメント。
【請求項３】
前記蛇腹部をブロー成形により形成する一方、前記吸込口部や接続部は射出成形により形成して連結したことを特徴とする請求項１又は請求項２記載の掃除機用アタッチメント。
【請求項４】
前記蛇腹部と前記吸込口部や接続部をインサート成形により連結したことを特徴とする請求項３記載の掃除機用アタッチメント。
【請求項５】
前記蛇腹部と前記吸込口部や接続部を爪結合又は圧入結合により連結したことを特徴とする請求項３記載の掃除機用アタッチメント。
【請求項６】
前記蛇腹部と吸込口部を着脱可能に構成すると共に、前記蛇腹部の先端に前記吸込口部の吸込口とは異なる吸込口を形成したことを特徴とする請求項１ないし請求項３又は請求項５のいずれかに記載の掃除機用アタッチメント。
【請求項７】
前記蛇腹部と共に前記吸込口部と接続部をブロー成形により一体成形したことを特徴とする請求項１又は請求項２記載の掃除機用アタッチメント。
【請求項８】
前記吸込口の他に外気を導入する外気導入口を備えたことを特徴とする請求項１ないし請求項７のいずれかに記載の掃除機用アタッチメント。
【請求項９】
前記蛇腹部の縮んだときの内側断面形状が前記吸込口部の内側断面形状の範囲以上と成るように構成したことを特徴とする請求項１ないし請求項８のいずれかに記載の掃除機用アタッチメント。
【請求項１０】
前記蛇腹部の屈曲特性に方向性を持たせたことを特徴とする請求項１ないし請求項９のいずれかに記載の掃除機用アタッチメント。
【請求項１１】
前記請求項１ないし請求項１０のいずれかに記載の掃除機用アタッチメントを備えたことを特徴とする電気掃除機。
【請求項１２】
前記掃除機用アタッチメントを収納する収納部を備えると共に、この収納部を開閉自在に覆う蓋体に、当該収納部内に収納状態にある掃除機用アタッチメントの吸込口以外の所定部位が露出する開口部を形成したことを特徴とする請求項１１記載の電気掃除機。
【請求項１３】
前記開口部は、前記掃除機用アタッチメントの吸込口以外の所定部位を隙間無く露出させて外観を成すように形成されることを特徴とする請求項１２記載の電気掃除機。
【請求項１４】
前記掃除機用アタッチメントを屈曲状態に収納可能な収納部を備えると共に、この収納部を開閉自在に覆う蓋体に、当該収納部内に収納された掃除機用アタッチメントに当接して掃除機用アタッチメントを屈曲状態に収納させる当接部を設けたことを特徴とする請求項１１ないし請求項１３のいずれかに記載の電気掃除機。 
【発明の詳細な説明】
【技術分野】
【０００１】
本願発明は、吸込口を有して電気掃除機本体の集塵室に連通する接続口に接続して使用される掃除機用アタッチメント及びそれを用いた電気掃除機に関するものである。
【背景技術】
【０００２】
従来より、部屋の床面のコーナー部分や家具の隙間や窓の桟などを掃除するための掃除機用アタッチメントが一般に良く知られており、特許文献１や特許文献２には、吸込口部と接続部との間に屈曲自在な蛇腹部を設けたものが開示されている。
【特許文献１】実開昭５１−１６２５５３号公報
【特許文献２】実開昭５７−９００４０号公報
【発明の開示】
【発明が解決しようとする課題】
【０００３】
ところで、上述したような掃除機用アタッチメントに蛇腹部を設けたものでは、蛇腹部を伸ばした状態で掃除しても蛇腹部の内部には凹凸があるので、この凹凸部に塵埃が付着しやすい。しかしながら、この蛇腹部に付着した塵埃を使用者は容易に知ることができないので、この掃除機用アタッチメントの収納時等に塵埃が付着した蛇腹部をそのまま縮めてしまって、不衛生になる等の課題が生じる。
【０００４】
そこで、本願発明はこのような課題を解決するためになされたものであり、蛇腹部に付着した塵埃を容易に知ることができる掃除機用アタッチメント及びそれを用いた電気掃除機を提供することを目的とするものである。
【課題を解決するための手段】
【０００５】
上記のような目的を達成するために、本願発明に係る掃除機用アタッチメントは、吸込口を有する吸込口部と、電気掃除機本体の集塵室に連通する接続口に接続される接続部と、この接続部に前記吸込口部を屈曲自在に連結する蛇腹部とを有し、この蛇腹部を透明性を有する材料で構成したことを特徴とするものである。
【０００６】
さらに、前記蛇腹部に帯電防止材を含有した材料を使用したことを特徴とするものである。
【０００７】
また、前記蛇腹部をブロー成形により形成する一方、前記吸込口部や接続部は射出成形により形成して連結したことを特徴とするものである。
【０００８】
そして、前記蛇腹部と前記吸込口部や接続部をインサート成形により連結したことを特徴とするものである。
【０００９】
一方、前記蛇腹部に前記吸込口部や接続部を爪結合又は圧入結合により連結したことを特徴とするものである。
【００１０】
また、前記蛇腹部と吸込口部を着脱可能に構成すると共に、前記蛇腹部の先端に前記吸込口部の吸込口とは異なる吸込口を形成したことを特徴とするものである。
【００１１】
一方、前記蛇腹部と共に前記吸込口部と接続部をブロー成形により一体成形したことを特徴とするものである。
【００１２】
また、前記吸込口の他に外気を導入する外気導入口を備えたことを特徴とするものである。
【００１３】
また、前記蛇腹部の縮んだときの内側断面形状が前記吸込口部の内側断面形状の範囲以上と成るように構成したことを特徴とするものである。
【００１４】
また、前記蛇腹部の屈曲特性に方向性を持たせたことを特徴とするものである。
【００１５】
一方、本願発明に係る電気掃除機は、上記のいずれかに記載の掃除機用アタッチメントを備えたことを特徴とするものである。
【００１６】
また、前記掃除機用アタッチメントを収納する収納部を備えると共に、この収納部を開閉自在に覆う蓋体に、当該収納部内に収納状態にある掃除機用アタッチメントの吸込口以外の所定部位が露出する開口部を形成したことを特徴とするものである。
【００１７】
さらに、前記開口部は、前記掃除機用アタッチメントの吸込口以外の所定部位を隙間無く露出させて外観を成すように形成されることを特徴とするものである。
【００１８】
また、前記掃除機用アタッチメントを屈曲状態に収納可能な収納部を備えると共に、この収納部を開閉自在に覆う蓋体に、当該収納部内に収納された掃除機用アタッチメントに当接して掃除機用アタッチメントを屈曲状態に収納させる当接部を設けたことを特徴とするものである。
【発明の効果】
【００１９】
本願発明に係る掃除機用アタッチメントによれば、吸込口部と接続部間の蛇腹部を透明性を有する材料で構成したことにより、使用者は蛇腹部に塵埃が付着しているのを目視で容易に知ることができるので、収納等の際には蛇腹部を縮める前に付着した塵埃を除去することができ、塵埃が付着したまま蛇腹部が縮められて収納されてしまうような不具合を防ぐことができる。
【００２０】
さらに、蛇腹部に帯電防止材を含有した材料を使用したことにより、蛇腹部への静電気による埃等の付着を防ぐことができる。
【００２１】
また、蛇腹部をブロー成形により形成する一方、吸込口部や接続部は射出成形により形成して連結することにより、他の部品と嵌合する吸込口部や接続部の寸法精度が高くなり、また寸法調整も容易となる。
【００２２】
さらに、蛇腹部と吸込口部や接続部をインサート成形により連結することにより、蛇腹部と吸込口部や接続部との完全なシールが可能となる。
【００２３】
一方、蛇腹部と吸込口部や接続部を爪結合又は圧入結合により連結することにより、コスト低減を図ることができる。
【００２４】
また、蛇腹部と吸込口部を着脱可能に構成すると共に、蛇腹部の先端に吸込口部の吸込口とは異なる吸込口を形成することにより、吸込口部を取り外して別用途して使用することができる。
【００２５】
一方、蛇腹部と共に吸込口部と接続部をブロー成形により一体成形することにより、蛇腹部と吸込口部や接続部との完全なシールが可能になると共に、１部品のため低コストとなる。また、接続部もブロー成形となることにより接続部をテーパー形状に形成することも容易で、径の異なるホースや延長管にも接続可能となる。
【００２６】
また、吸込口の他に外気を導入する外気導入口を備えることにより、掃除の際に吸込口が塞がっても、蛇腹部の縮みを防ぐことができる。
【００２７】
また、蛇腹部の縮んだときの内側断面形状が吸込口部の内側断面形状の範囲以上と成るように構成することにより、塵埃の蛇腹部への引っ掛かりを軽減できる。
【００２８】
また、蛇腹部の屈曲特性に方向性，具体的には曲げたくない方向の幅を広くし、曲げたい方向の幅が狭くなるような形状とすることにより、掃除の際に意図しない方向に吸込口部が曲がってしまうことを防止することができる。
【００２９】
一方、本願発明に係る電気掃除機は、上記のいずれかに記載の掃除機用アタッチメントを備えたものであるから、上述したような効果を有する掃除機用アタッチメントを有する衛生面や使い勝手の向上した電気掃除機が実現できる。
【００３０】
また、掃除機用アタッチメントを収納する収納部を備えると共に、この収納部を開閉自在に覆う蓋体に当該収納部内に収納状態にある掃除機用アタッチメントの吸込口以外の所定部位が露出する開口部を形成することにより、この掃除機用アタッチメントの有無が一目で分かり、吸込口のブラシ等の見たくない部分は隠すことが可能となる。
【００３１】
さらに、上記開口部を、掃除機用アタッチメントの吸込口以外の所定部位を隙間無く露出させて外観を成すように形成することにより、掃除機用アタッチメントと開口部との隙間を無くすことで、収納時の収納部内への塵埃の侵入を防ぐことができると共に、外観上の差別化を図ることができる。
【００３２】
また、掃除機用アタッチメントを屈曲状態に収納可能な収納部を備えると共に、この収納部を開閉自在に覆う蓋体に当該収納部内に収納された掃除機用アタッチメントに当接して掃除機用アタッチメントを屈曲状態に収納させる当接部を設けることにより、この掃除機用アタッチメントを真っ直ぐな状態で収納部に収納しても、蓋体を閉めることで自動的に屈曲した状態で収納されるので、使い勝手が向上する。
【発明を実施するための最良の形態】
【００３３】
以下、本願発明の実施形態を図面を参照して詳細に説明する。
【００３４】
図１は、本願発明による掃除機用アタッチメントの一実施形態としての隙間用吸込具の構成を示す図で、（ａ）は縮んだ状態の側面図、（ｂ）は伸びた状態の側面図、図２は曲げた状態の側面図である。
【００３５】
本実施形態の隙間用吸込具１は、隙間用として横長で縦方向が扁平な形状に形成され、先端部に斜め下方に向けて開口する吸込口２ａを有する吸込口部２と、後述する電気掃除機本体に連結されて集塵室に連通するホースや延長管の接続口に接続される接続部３と、この接続部３に吸込口部２を屈曲自在に連結する蛇腹部４とから構成されている。そして、蛇腹部４は透明性を有する材料で構成されている。
【００３６】
具体的には、蛇腹部４は、透明性を有し、耐久性もあるＰＰ（ポリプロピレン）樹脂で成形することができる。さらに、このＰＰ樹脂に帯電防止材を練り込んて成形することが好ましい。なお、吸込口部２と接続部３も、一般的な透明性を有しないＰＰ樹脂で成形することができる。
【００３７】
また、吸込口部２の側面には、上下方向に伸びる２本の突条２ｂが形成されており、この吸込口部２に更にブラシ付きアタッチメントを接続する際や、吸込口部２を引っ張って蛇腹部４を伸ばす際の使い勝手の向上が図られている。
【００３８】
以上の構成において、この隙間用吸込具１を使用して、床面のコーナー部分や家具の隙間や窓の桟などを掃除する際には、当該隙間用吸込具１の接続部３を掃除機本体に連結されたホースや延長管に接続する。そして、掃除機本体に内蔵された電動送風機を運転させると、被掃除面の塵埃は吸込口部２の吸込口２ａから吸い込まれ、蛇腹部４から接続部３を通り、延長管，ホース等を介して掃除機本体に吸引される。
【００３９】
本実施形態の隙間用吸込具１は、蛇腹部４が図１（ａ）に示すように縮んだ状態から同図（ｂ）に示すように真っ直ぐ伸ばした状態にしたり、図２に示すように吸込口部２を蛇腹部４を介して自在に曲げた状態にすることができるので、床面のコーナー部分や家具の隙間や窓の桟などの被掃除面に合わせて最適な形状で効率良く掃除を行うことができる。
【００４０】
そして、隙間用吸込具１を使用した掃除が終了したら、隙間用吸込具１の蛇腹部４に塵埃が付着している場合には使用者は目視で容易に知ることができる。従って、隙間用吸込具１の収納等の際には、ホースや延長管から取り外す前に図１（ｂ）のように蛇腹部４を伸ばした状態で電動送風機をちょっとだけ起動するか、取り外してから蛇腹部４を伸ばした状態でゴミ箱の上で蛇腹部４等を持って振り落とすことにより、蛇腹部４を縮める前に付着した塵埃を除去することができ、塵埃が付着したまま蛇腹部４が縮められて収納されてしまうような不具合を防ぐことができる。
【００４１】
また、蛇腹部４を帯電防止材を練り込んだ樹脂で成形することにより、蛇腹部４への静電気による埃等の付着も防ぐことができ、上記の機能と相俟って、この隙間用吸込具１を常にきれいで衛生的な状態に保つことができる。
【００４２】
なお、帯電防止材の代わり、又は併用して、蛇腹部４の内面に透明酸化チタンコーティングを施したり、ステンレスコーティングをメッシュ状に施すことにより、塵離れを良くすることができ、蛇腹部４への埃等の塵埃の付着を防止することができる。
【００４３】
図３は、本願発明の他の実施形態を示す図で、（ａ）は側面図、（ｂ）はその縦断面図であり、前記実施形態と同一符号は同一又は相当部分を示している。
【００４４】
本実施形態では、蛇腹部４をブロー成形により形成する一方、吸込口部２や接続部３は射出成形により形成したものである。さらに、蛇腹部４と吸込口部２や接続部３はインサート成形により連結している。
【００４５】
このように構成することにより、射出成形は高い寸法精度が得られ、寸法調整も容易であるので、ブラシ付きパイプ等が嵌合する吸込口部２や、延長管やホースに嵌合する接続部３の寸法精度が高くなり、また寸法調整も容易となる。
【００４６】
さらに、蛇腹部４と吸込口部２や接続部３をインサート成形により連結することにより、インサート成形は部品間の完全シールが可能であるので、蛇腹部４と吸込口部２や接続部３との連結部の完全なシールが実現できる。
【００４７】
なお、インサート成形に代えて、接着剤を全面に塗布して接着するようにしても良く、このように構成すれば低コストで一定のシール効果が得られる。
【００４８】
図４は、本願発明の更に他の実施形態を示す図で、（ａ）は側面図、（ｂ）はその横断面図であり、前記実施形態と同一符号は同一又は相当部分を示している。
【００４９】
本実施形態では、前記実施形態のインサート成形に代えて、蛇腹部４と吸込口部２や接続部３を爪結合により連結するように構成したものである。
【００５０】
具体的には、蛇腹部４の接続部側連結部４ａと吸込口部側連結部４ｂとにそれぞれ対向する係止爪４ｃ，４ｄを形成し、接続部３の連結部３ａと吸込口部２の連結部２ｃに上記係止爪４ｃ，４ｄが係合する係止孔３ｃ，２ｄを形成したものである。
【００５１】
このように構成することにより、上述したインサート成形に比べてコスト低減を図ることができる。また、蛇腹部４から吸込口部２や接続部３を比較的容易に脱着することができるので、蛇腹部４内の掃除や、長期使用により蛇腹部４が破損したような場合にも全体を交換することなく蛇腹部４をスペア部品等と交換することにより、利用者側のコスト削減を図ることができる。
【００５２】
図５は、本願発明の更に他の実施形態を示す図で、（ａ）は側面図、（ｂ）はその縦断面図であり、前記実施形態と同一符号は同一又は相当部分を示している。
【００５３】
本実施形態では、前記実施形態のインサート成形に代えて、蛇腹部４と吸込口部２や接続部３を圧入結合により連結するように構成したものである。
【００５４】
この場合、圧入であり、蛇腹部の連結部４ａ，４ｂは、接続部３や吸込具部２の連結部３ａ，２ｃより柔軟であるので、蛇腹部４の連結部４ａ，４ｂの内側に接続部３や吸込具部２の連結部３ａ，２ｃが圧入されるようにそれぞれの径を設定する。
【００５５】
このように構成しても、前記図４に示した爪結合とほぼ同様な作用効果が得られる。
【００５６】
図６は、本願発明の更に他の実施形態の構成を示す図で、（ａ）は側面図、（ｂ）はその縦断面図、図７（ａ），（ｂ）はその使用形態を示す側面図であり、前記実施形態と同一符号は同一又は相当部分を示している。
【００５７】
本実施形態では、蛇腹部４と吸込口部２を圧入等により着脱可能に構成すると共に、蛇腹部４の先端に吸込口部２の吸込口２ａとは異なる吸込口４ｅを形成したものである。
【００５８】
具体例としては、蛇腹部４の先端形状も斜めにカットされた隙間用形状となっており、隙間用の吸込口部２を取り外しても隙間用の吸込口４ｅとなるが、吸込口部２を塩ビ等の軟質樹脂で形成し、蛇腹部４は硬質樹脂としている。
【００５９】
このように構成することにより、吸込口部２と蛇腹部４の先端部とが別用途の吸込口２ａ，４ｅとして使用できる。例えば、傷付きが気になる場所や、机の上等で床面を掃除した吸込口で掃除したくない場合は、図７（ａ）に示すように軟質樹脂で形成された吸込口部２を付けた状態で掃除する。一方、傷付き等が気にならない場所（床面等の汚れがひどい場所）は、図７（ｂ）に示すように吸込口部２を取り外して硬質樹脂で形成された蛇腹部４の先端の吸込口４ｅを用いて掃除する。なお、一方にブラシを備えるようにしても便利である。このように、本実施形態では、１つのアタッチメントで、２種類の用途に使えるので、使い勝手が向上すると共に利便性も向上する。
【００６０】
図８は、本願発明の更に他の実施形態を示す図で、（ａ）は側面図、（ｂ）はその縦断面図であり、前記実施形態と同一符号は同一又は相当部分を示している。
【００６１】
本実施形態では、蛇腹部４と共に吸込口部２と接続部３をブロー成形により一体成形したものである。
【００６２】
このように構成することにより、蛇腹部４と吸込口部２や接続部３の完全なシールが可能になると共に、１部品のため低コストとなる。
【００６３】
また、接続部３もブロー成形となることから、接続部３を、射出成形では型抜きができないことから困難な開口部側が小径となるテーパー形状に形成することも容易で、このように形成すれば、径の異なるホースや延長管にも接続可能となる。
【００６４】
ところで、この種の蛇腹を用いたものでは、容易に伸縮するので、吸込口が絨毯等の被掃除面で塞がれた場合、蛇腹部が勝手に縮んでしまう。
【００６５】
図９は上記の対策を施した本願発明の更に他の実施形態を示す図で、（ａ）は側面図、（ｂ）はその縦断面図であり、前記実施形態と同一符号は同一又は相当部分を示している。
【００６６】
本実施形態では、吸込口部２に、先端側の吸込口２ａの他に基部下面側に開口して外気を導入する外気導入口２ｅ（漏らし孔とも言う）を備えたものである。
【００６７】
このように構成することにより、絨毯等の掃除の際に吸込口２ａが塞がっても、蛇腹部４の縮みを防ぐことができる。
【００６８】
なお、上記外気導入口２ｅは、接続部３側に設けても蛇腹部４の縮みを防ぐことができるが、蛇腹部４に塵埃等が付着した場合に吸い込み難くなるので、上記実施形態のように吸込口部２側に設けることが好ましい。
【００６９】
図１０は、本願発明の更に他の実施形態を示す図で、（ａ）は側面図、（ｂ）はその縦断面図、（ｃ）は平面図、（ｄ）はその横断面図で、図１１（ａ）は正面図、（ｂ）は吸込口部と蛇腹部の内側断面形状を示す説明図である。
【００７０】
本実施形態では、図１０に示すように蛇腹部４の縮んだときに、図１１に示すように蛇腹部４の内側断面形状Ｘが吸込口部２の内側断面形状Ｙの範囲以上と成るように構成したものである。すなわち、図１０（ａ），（ｂ）に示すような側面視において蛇腹部４の縮んだときの最小内径Ａが吸込口部２の側面視内径Ｂ以上となり、かつ図１０（ｃ），（ｄ）示すような平面視においても蛇腹部４の縮んだときの最小内径Ｃが吸込口部２の平面視内径Ｄ以上となるように構成したものである。
【００７１】
このように構成することにより、蛇腹部４の内径が大きくなる伸びたときは勿論、縮んだときでも、蛇腹部４内の吸込口部２からの吸引方向には遮るものがないので、蛇腹部４への塵埃の引っ掛かりを軽減でき、蛇腹部４の塵詰まりを改善できる。
【００７２】
ところで、一般的な蛇腹はどの方向にも同じ負荷で曲がってしまう。これでは、掃除の際に曲げたくない方向にも曲がることになる。具体的には、掃除の際には、高さ方向（縦方向）に曲げる使い方が一般的であり、横方向に曲がると使いにくくなる。
【００７３】
図１２は、この課題を解消した本願発明の更に他の実施形態を示す図で、（ａ）は側面図、（ｂ）は平面図、（ｃ）は正面図であり、前記実施形態と同一符号は同一又は相当部分を示している。
【００７４】
本実施形態では、曲げたくない方向，一般的には上述したように横方向の幅Ｆを、曲げたい方向，すなわち縦方向の幅Ｅより大きく形成する。
【００７５】
以上のように構成することにより、掃除の際に意図しない方向（横方向）へ吸込口部２が曲がってしまうことを防ぐことができる。
【００７６】
ところで、掃除機用アタッチメントを掃除機本体に収納できるように構成したものが周知であるが、その収納部を開閉自在に覆う蓋体が不透明な場合、使用者にはアタッチメントが収納されているかどうかが分からない。一方、上記蓋体全体を透明性を有するものとすると、アタッチメントが収納されているかどうかは分かるが、アタッチメントの吸込口やそのブラシ等のように塵埃が付着している部分が常に見えてしまい、外観上の不具合が生じる。
【００７７】
図１３〜図１５は、上記不具合を解消した本願発明の更に他の実施形態を示す図で、図１３は掃除機本体の平面図、図１４はその側断面図、図１５は掃除機用アタッチメントの収納部の蓋体を開けた状態を示す側断面図であり、前記実施形態と同一符号は同一又は相当部分を示している。
【００７８】
このキャニスター型の掃除機本体１１の外郭は、下ケース１２及び上ケース１３と、上ケース１３の前側上面に開口する後述の集塵室の上面開口を開閉自在に密閉する集塵蓋１４と、図示しない延長管や床用吸込具が連結されたホースが差し込まれる差込口１５を有する前カバー１６から形成されている。
【００７９】
掃除機本体１１の底面前側中央部にはキャスター式の小径の前輪１７が備えられ、両側面後側には大径の後輪１８が備えられている。また、掃除機本体１１の上面側における集塵蓋１４の後側には、掃除機本体持ち運び用のハンドル１９が回動自在に備えられている。
【００８０】
掃除機本体１１内には、前部に図示しない集塵用の紙パック及びサイクロン方式のダストボックスのいずれでも装着可能な両用の集塵室２０が形成され、後部には電動送風機２１が収納された電動送風機室２２が形成されている。
【００８１】
そして、集塵蓋１４には、前述した隙間用吸込具１を、縮めた蛇腹部４と接続部３を後側にして吸込口部２を横にした状態で、全体を前方に傾けて収納可能な収納部２３が形成され、この収納部２３を開閉自在に覆う蓋体２４が設けられている。
【００８２】
そして、本実施形態では、上記蓋体２４に、収納部２３内に収納状態にある隙間用吸込具１の吸込口２ａ以外の所定部位として、縮めた蛇腹部４と接続部３の一部が露出する開口部２５を形成している。さらに、この開口部２５を、隙間用吸込具１の縮めた蛇腹部４と接続部３の一部を隙間無く露出させて外観を成すように形成している。
【００８３】
上記収納部２３に隙間用吸込具１を収納するときは、図１５に示すように、蓋体２４を開けて、蛇腹部４を縮めて真っ直ぐにした状態の隙間用吸込具１を接続部３と蛇腹部４を後側にして吸込口部２を横にし、全体を前方に傾けた状態で収納部２３に収納する。そして、蓋体２４を閉じる。
【００８４】
これにより、図１３，図１４に示すように、蓋体２４の開口部２５から隙間用吸込具１の接続部３と縮んだ蛇腹部４が開口部２５との間に隙間無く露出し、縮んだ蛇腹部４の模様がアクセントを持った外観を呈するようになる。
【００８５】
これにより、使用者は、収納部２３内の隙間用吸込具１の有無が一目で分かり、また吸込口２ａやそのブラシ等の見たくない部分は隠すことが可能となる。また、隙間用吸込具１と開口部２５との隙間を無くすことで、隙間用吸込具１収納時の収納部２３内への塵埃の侵入を防ぐことができると共に、外観上の差別化を図ることができる。
【００８６】
上記実施形態では、隙間用吸込具１を真っ直ぐな状態で前方に傾けて収納することにより、掃除機本体１１の前部側の高さが高くならないようにしているが、接続部３と縮んだ蛇腹部４も傾けて収納しなければならないので、集塵室２０がその分小さくなる課題が生じる。接続部３と縮んだ蛇腹部４を水平に収納して吸込口部２を外観形状に沿って曲げた状態で収納すれば良いが、そのように収納しようとすると手間が掛かる。
【００８７】
図１６，図１７は、上記課題の対策を施した他の実施形態を示す図であり、図１６は蓋体を開放して隙間用吸込具を収納した状態を示す側断面図、図１６はその蓋体を閉めた状態を示す側断面図であり、前記実施形態と同一又は相当部分には同一符号を用いている。
【００８８】
本実施形態では、収納部２３が、隙間用吸込具１を接続部３と蛇腹部４は水平に収納でき、吸込口部２は前方に傾斜した状態にして屈曲状態に収納できるように構成されている。そして、この収納部２３を開閉自在に覆う蓋体２４に、収納部２３内に収納された隙間用吸込具１の吸込口部２に当接して、隙間用吸込具１を図１７に示すように外観に沿った屈曲状態に収納させる当接リブ２４ａが備えられている。
【００８９】
以上のように構成することにより、図１６に示すように、隙間用吸込具１を真っ直ぐな状態で収納しても、蓋体２４を閉めると、真っ直ぐな状態の吸込口部２に蓋体２４の当接リブ２４ａが当たって、図１７に示すように自動的に屈曲して、外観に沿った形状の収納部２３に収納されるので、集塵室２０が小さくなることなく、使い勝手が向上する。
【図面の簡単な説明】
【００９０】
【図１】本願発明による掃除機用アタッチメントの一実施形態としての隙間用吸込具の構成を示す図で、（ａ）は縮んだ状態の側面図、（ｂ）は伸びた状態の側面図。
【図２】同じく曲げた状態の側面図。
【図３】本願発明の他の実施形態を示す図で、（ａ）は側面図、（ｂ）はその縦断面図。
【図４】本願発明の更に他の実施形態を示す図で、（ａ）は側面図、（ｂ）はその横断面図。
【図５】本願発明の更に他の実施形態を示す図で、（ａ）は側面図、（ｂ）はその縦断面図。
【図６】本願発明の更に他の実施形態の構成を示す図で、（ａ）は側面図、（ｂ）はその縦断面図。
【図７】その使用形態を示す側面図で、（ａ）は吸込口部を使用する場合、（ｂ）は吸込口部を取り外して蛇腹部の吸込口を使用する場合を示している。
【図８】本願発明の更に他の実施形態を示す図で、（ａ）は側面図、（ｂ）はその縦断面図。
【図９】本願発明の更に他の実施形態を示す図で、（ａ）は側面図、（ｂ）はその縦断面図。
【図１０】本願発明の更に他の実施形態を示す図で、（ａ）は側面図、（ｂ）はその縦断面図、（ｃ）は平面図、（ｄ）はその横断面図。
【図１１】同じく（ａ）は正面図、（ｂ）は吸込口部と蛇腹部の内側断面形状を示す説明図。
【図１２】本願発明の更に他の実施形態を示す図で、（ａ）は側面図、（ｂ）は平面図、（ｃ）は正面図。
【図１３】本願発明の更に他の実施形態の掃除機本体の平面図。
【図１４】同じく側断面図。
【図１５】同じく掃除機用アタッチメントの収納部の蓋体を開けた状態を示す側断面図。
【図１６】本願発明の更に他の実施形態を示す図で、蓋体を開放して隙間用吸込具を収納した状態を示す側断面図。
【図１７】同じくそのその蓋体を閉めた状態を示す側断面図。
【符号の説明】
【００９１】
１  隙間用吸込具（掃除機用アタッチメント）
２  吸込口部
２ａ  吸込口
２ｃ  連結部
２ｄ  係止孔
２ｅ  外気導入口
３  接続部
３ａ  連結部
３ｃ  係止孔
４  蛇腹部
４ａ  接続部側連結部
４ｂ  吸込口部側連結部
４ｃ，４ｄ  係止爪
４ｅ  吸込口
１１  掃除機本体
１４  集塵蓋
２０  集塵室
２２  電動送風機室
２３  収納部
２４  蓋体
２４ａ  当接リブ
２５  開口部 
【図１】
2007061128.tif 000003
【図２】
2007061128.tif 000004
【図３】
2007061128.tif 000005
【図４】
2007061128.tif 000006
【図５】
2007061128.tif 000007
【図６】
2007061128.tif 000008
【図７】
2007061128.tif 000009
【図８】
2007061128.tif 000010
【図９】
2007061128.tif 000011
【図１０】
2007061128.tif 000012
【図１１】
2007061128.tif 000013
【図１２】
2007061128.tif 000014
【図１３】
2007061128.tif 000015
【図１４】
2007061128.tif 000016
【図１５】
2007061128.tif 000017
【図１６】
2007061128.tif 000018
【図１７】
2007061128.tif 000019